(57)【要約】      （修正有）【課題】撮影時間の短縮が可能な磁気共鳴イメージング装置を提供する。【解決手段】隣接するｋｚビューを交互に移動するトラジェクトリに従ってデータを収集する。このようなトラジェクトリに従ってデータを収集することにより、信号強度を滑らかに変化させることができるのでゴーストなどのアーチファクトを低減することができる。また、２心拍の間に、隣接する２つのｋｚビューにデータを配置することができるので、撮影時間を短縮することもできる。更に、トラジェクトリは隣接する格子点に移動するので、渦電流によるアーチファクトも低減することができる。【選択図】図９
2010194305.tif 000002
【特許請求の範囲】
【請求項１】
ｋｙ−ｋｚ面内において所定方向に並ぶ複数の格子点から出発して前記ｋｙ−ｋｚ面を移動する複数のトラジェクトリに従ってデータを収集する磁気共鳴イメージング装置であって、
前記複数のトラジェクトリの各々は、
ビュー番号ｉ（ｉ＝−（ｎ−１）〜ｎの整数）のｋｚビューに位置する第１の格子点から、ビュー番号ｉのｋｚビューに位置し前記第１の格子点に隣接する第２の格子点に移動する前に、ビュー番号ｉ＋１又はｉ−１のｋｚビューに位置し前記第１の格子点又は前記第２の格子点に隣接する第３の格子点を経由する、磁気共鳴イメージング装置。
【請求項２】
前記複数のトラジェクトリの各々は、
（ａ）ビュー番号ｉ（ｉ＝−（ｎ−１）〜ｎの整数）のｋｚビューと、ビュー番号ｊ（ｊ＝−（ｎ−１）〜ｎの整数）のｋｙビューとの交点に位置する格子点（ｉ，ｊ）
（ｂ）ビュー番号ｉ＋１のｋｚビューと、ビュー番号ｊのｋｙビューとの交点に位置する格子点（ｉ＋１，ｊ）
（ｃ）ビュー番号ｉ＋１のｋｚビューと、ビュー番号ｊ＋１のｋｙビューとの交点に位置する格子点（ｉ＋１，ｊ＋１）
（ｄ）ビュー番号ｉのｋｚビューと、ビュー番号ｊ＋１のｋｙビューとの交点に位置する格子点（ｉ，ｊ＋１）
上記の（ａ）〜（ｄ）の順序で、格子点を移動する、請求項１に記載の磁気共鳴イメージング装置。
【請求項３】
前記複数のトラジェクトリの各々は、
（ａ）ビュー番号ｉ（ｉ＝−（ｎ−１）〜ｎの整数）のｋｚビューと、ビュー番号ｊ（ｊ＝−（ｎ−１）〜ｎの整数）のｋｙビューとの交点に位置する格子点（ｉ，ｊ）
（ｂ）ビュー番号ｉ＋１のｋｚビューと、ビュー番号ｊのｋｙビューとの交点に位置する格子点（ｉ＋１，ｊ）
（ｃ）ビュー番号ｉのｋｚビューと、ビュー番号ｊ＋１のｋｙビューとの交点に位置する格子点（ｉ，ｊ＋１）
上記の（ａ）〜（ｃ）の順序で、格子点を移動する、請求項１に記載の磁気共鳴イメージング装置。
【請求項４】
前記複数のトラジェクトリの各々は、
（ａ）ビュー番号ｉ（ｉ＝−（ｎ−１）〜ｎの整数）のｋｚビューと、ビュー番号ｊ（ｊ＝−（ｎ−１）〜ｎの整数）のｋｙビューとの交点に位置する格子点（ｉ，ｊ）
（ｂ）ビュー番号ｉ＋１のｋｚビューと、ビュー番号ｊ＋１のｋｙビューとの交点に位置する格子点（ｉ＋１，ｊ＋１）
（ｃ）ビュー番号ｉのｋｚビューと、ビュー番号ｊ＋１のｋｙビューとの交点に位置する格子点（ｉ，ｊ＋１）
上記の（ａ）〜（ｃ）の順序で、格子点を移動する、請求項１に記載の磁気共鳴イメージング装置。
【請求項５】
前記トラジェクトリは、前記ｋｙ−ｋｚ面の低周波側から高周波側に移動する、請求項１〜４のうちのいずれか一項に記載の磁気共鳴イメージング装置。
【請求項６】
前記トラジェクトリは、ｋｚ軸を横切るように移動する、請求項１〜４のうちのいずれか一項に記載の磁気共鳴イメージング装置。
【請求項７】
前記被検体の心拍を検出する心拍検出手段を有する、請求項１〜６のうちのいずれか一項に記載の磁気共鳴イメージング装置。
【請求項８】
前記被検体の心拍のＲ−Ｒ間隔の間に、前記領域に含まれる複数の格子点に配置されるデータが収集される、請求項７に記載の磁気共鳴イメージング装置。
【請求項９】
前記被検体の呼吸を検出する呼吸検出手段を有する、請求項１〜８のうちのいずれか一項に記載の磁気共鳴イメージング装置。
【請求項１０】
前記ｋｙ−ｋｚ面には、複数の領域が規定されており、
前記複数の領域は、前記複数のトラジェクトリに従ってデータが配置される、請求項１〜９のうちのいずれか一項に記載の磁気共鳴イメージング装置。
【請求項１１】
前記ｋｙ−ｋｚ面は、データが配置されるデータ配置領域と、データが配置されないデータ非配置領域とを有しており、
前記データ配置領域は、前記複数の領域に分割される、請求項１０に記載の磁気共鳴イメージング装置。
【請求項１２】
前記複数の領域は、矩形状である、請求項１０又は１１に記載の磁気共鳴イメージング装置。
【請求項１３】
前記複数の領域は、前記データ配置領域に内接する複数の楕円と、直線とによって規定される、請求項１１に記載の磁気共鳴イメージング装置。
【請求項１４】
前記ｋｙ−ｋｚ面内において所定方向に並ぶ複数の格子点は、ｋｚ軸と同一方向に並んでいる、請求項１〜１３のうちのいずれか一項に記載の磁気共鳴イメージング装置。
【請求項１５】
前記ｋｙ−ｋｚ面内において所定方向に並ぶ複数の格子点は、曲線状に並んでいる、請求項１〜１３のうちのいずれか一項に記載の磁気共鳴イメージング装置。
【請求項１６】
ｋｙ−ｋｚ面内において所定方向に並ぶ複数の格子点から出発して前記ｋｙ−ｋｚ面を移動する複数のトラジェクトリに従ってデータを収集する磁気共鳴イメージング装置のプログラムであって、
前記複数のトラジェクトリの各々を、ビュー番号ｉ（ｉ＝−（ｎ−１）〜ｎの整数）のｋｚビューに位置する第１の格子点から、ビュー番号ｉのｋｚビューに位置し前記第１の格子点に隣接する第２の格子点に移動する前に、ビュー番号ｉ＋１又はｉ−１のｋｚビューに位置し前記第１の格子点又は前記第２の格子点に隣接する第３の格子点を経由させるためのプログラム。
【発明の詳細な説明】
【技術分野】
【０００１】
本発明は、被検体からデータを収集する磁気共鳴イメージング装置、およびプログラムに関する。
【背景技術】
【０００２】
ＳＳＦＰ（Steady State Free Precession）を用いてＭＲＡ（Magnetic
Resonance Angiography）撮像を行う場合、データを収集する方法として、例えば、セントリックオーダー（Centric Order）やシーケンシャルオーダー（Sequential Order）が知られている（特許文献１参照）。
【先行技術文献】
【特許文献】
【０００３】
【特許文献１】特開2008-136734号公報
【発明の概要】
【発明が解決しようとする課題】
【０００４】
しかし、セントリックオーダーでは、渦電流に起因したアーチファクトが現れやすいという欠点がある。一方、シーケンシャルオーダーでは、渦電流に起因したアーチファクトが現れにくいが、画像にコントラストが付けにくいという欠点がある。そこで、Ky セントリックオーダーというデータ収集方法が知られている。Kyセントリックオーダーは、渦電流に起因したアーチファクトが現れにくく、画像にコントラストも付けやすいデータ収集方法である。しかし、ｋｙセントリックオーダーでは、撮影時間が長くなるという問題がある。したがって、撮影時間を短縮することが望まれている。
【課題を解決するための手段】
【０００５】
ｋｙ−ｋｚ面内において所定方向に並ぶ複数の格子点から出発して前記ｋｙ−ｋｚ面を移動する複数のトラジェクトリに従ってデータを収集する磁気共鳴イメージング装置であって、
前記複数のトラジェクトリの各々は、
ビュー番号ｉ（ｉ＝−（ｎ−１）〜ｎの整数）のｋｚビューに位置する第１の格子点から、ビュー番号ｉのｋｚビューに位置し前記第１の格子点に隣接する第２の格子点に移動する前に、ビュー番号ｉ＋１又はｉ−１のｋｚビューに位置し前記第１の格子点又は前記第２の格子点に隣接する第３の格子点を経由する。
【発明の効果】
【０００６】
撮影時間の短縮を図ることができる。
【図面の簡単な説明】
【０００７】
【図１】本発明の第１の実施形態の磁気共鳴イメージング装置１の概略図である。
【図２】被検体９の心電信号に基づいて、被検体９からどのようにデータを収集しているかを説明する図である。
【図３】ｋｙセントリックオーダーを用いて被検体９から収集したデータを、ｋ空間にどのように配置するかを説明する図である。
【図４】データ収集期間Ｐ１およびＰ２において、ビュー番号８のｋｚビューに配置されるデータをどのような順序で収集しているかを説明する図である。
【図５】ｋｚビューＶ８に配置されるデータと、信号強度Ｉとの関係を示す図である。
【図６】第１の実施形態におけるｋｙ−ｋｚ面を示す図である。
【図７】第１の実施形態において、データの収集順序を表すトラジェクトリを示す図である。
【図８】トラジェクトリＪ１〜Ｊ８およびＪ１１〜Ｊ１８に従ってｋｙ−ｋｚ面内にデータを配置するときの説明図である。
【図９】領域Ｒ１およびＲ１１の拡大図である。
【図１０】ｋｚビューＶ８およびＶ７に配置されるデータと、信号強度Ｉとの関係を概略的に示す図である。
【図１１】パルスシーケンスの一例である。
【図１２】データ収集順序の変形例の説明図である。
【図１３】トラジェクトリＪ１′およびＪ１１′の出発点を、それぞれ格子点（１，７）および（０，７）にした場合の例である。
【図１４】トラジェクトリが、隣接する３つのｋｚビューを移動するように規定された場合の一例を示す概略図である。
【図１５】第２の実施形態におけるｋｙ−ｋｚ面を示す図である。
【図１６】データ配置領域Ｒｄのデータを収集するときのトラジェクトリを示す図である。
【図１７】トラジェクトリＪ１〜Ｊ８およびＪ１１〜Ｊ１８に従ってｋｙ−ｋｚ面内にデータを配置するときの説明図である。
【図１８】領域Ｒ１、Ｒ１１、およびＲ２１の拡大図である。
【図１９】ｋｚビューＶ８およびＶ７に配置されるデータと、信号強度Ｉとの関係を示す図である。
【図２０】第３の実施形態におけるｋｙ−ｋｚ面を示す図である。
【図２１】第３の実施形態において、データの収集順序を表すトラジェクトリを示す図である。
【図２２】第３の実施形態におけるデータ収集方法の説明図である。
【図２３】領域Ｒ１１およびＲ２１の拡大図である。
【図２４】第４の実施形態におけるトラジェクトリを示す図である。
【図２５】第５の実施形態におけるトラジェクトリを示す図である。
【発明を実施するための形態】
【０００８】
以下、発明を実施するための形態について説明するが、本発明は、以下の実施形態に限定されることはない。
【０００９】
（１）第１の実施形態
図１は、本発明の第１の実施形態の磁気共鳴イメージング装置１の概略図である。
磁気共鳴イメージング装置（以下、ＭＲＩ（Magnetic
Resonance Imaging）装置と呼ぶ）１は、コイルアセンブリ２と、テーブル３と、心拍センサ４と、受信コイル５と、制御装置６と、入力装置７と、表示装置８とを有している。
【００１０】
コイルアセンブリ２は、被検体９が収容されるボア２１と、超伝導コイル２２と、勾配コイル２３と、送信コイル２４とを有している。超伝導コイル２２は静磁場Ｂ0を印加し、勾配コイル２３は勾配パルスを印加し、送信コイル２４はＲＦパルスを送信する。
【００１１】
テーブル３は、クレードル３１を有している。クレードル３１は、ｚ方向および−ｚ方向に移動するように構成されている。クレードル３１がｚ方向に移動することによって、被検体９がボア２１に搬送される。クレードル３１が−ｚ方向に移動することによって、ボア２１に搬送された被検体９は、ボア２１から搬出される。
【００１２】
心拍センサ４は、被検体９の心拍を検出し、心電信号をコイル制御手段６１に伝送する。
受信コイル５は、被検体９の腹部に取り付けられている。受信コイル５が受信したＭＲ（Magnetic Resonance）信号は、制御装置６に伝送される。
【００１３】
制御装置６は、コイル制御手段６１および信号処理手段６２を有している。
コイル制御手段６１は、入力装置７から入力された撮影命令と、心拍センサ４からの心電信号に基づいて、被検体９からデータを収集するためのパルスシーケンスが実行されるように、勾配コイル２３および送信コイル２４を制御する。コイル制御手段６１は、心拍センサ４からの心電信号に基づいてパルスシーケンスＰＳを繰り返し実行するためのプログラムを制御装置６にインストールすることによって実現されている。ただし、プログラムを用いずに、ハードウェアのみで実現してもよい。
信号処理手段６２は、受信コイル５からのＭＲ信号を処理し、画像を再構成する。
【００１４】
入力装置７は、オペレータ１０の操作によって、制御装置６に種々の命令などを伝送する。表示装置８は、画像などを表示する。
【００１５】
図１に示すＭＲＩ装置１は、被検体９の心電信号に基づいて、被検体９からデータを収集する。次に、ＭＲＩ装置１が、被検体９の心電信号に基づいて、被検体９からどのようにデータを収集しているかについて説明する。
【００１６】
図２は、被検体９の心電信号に基づいて、被検体９からどのようにデータを収集しているかを説明する図である。
【００１７】
図２には、被検体の心電信号の概略が示されている。コイル制御手段６１（図１参照）は、入力装置７から撮影命令を受け取ると、心拍センサ４からの心電信号に基づいて、被検体９からデータを収集するためのパルスシーケンスが実行されるように、勾配コイル２３および送信コイル２４を制御する。心電信号には、Ｒ−Ｒ間隔が示されており、各Ｒ−Ｒ間隔の間に、データ収集期間Ｐ１〜Ｐｚが示されている。データ収集期間Ｐ１〜Ｐｚは、被検体９からデータを収集するためのパルスシーケンスが実行される期間である。データ収集期間Ｐ１では、ｋ空間のｋｙ−ｋｚ面内の複数の格子点に配置される複数のデータ（以下、「データセット」と呼ぶ）Ｄ１が収集される。他のデータ収集期間Ｐ２、・・・Ｐｚにおいても、同様に、データセットＤ２、・・・Ｄｚが収集される。
【００１８】
また、心電信号の下には、データ収集期間Ｐ１〜Ｐｚの間に受信コイル５が受信するＭＲ信号の信号強度Ｉの時間変化曲線ＷＩが概略的に示されている。各データ収集期間Ｐ１〜Ｐｚにおいてデータを収集している間に、通常、スピンの磁化は次第に小さくなる。したがって、各データ収集期間Ｐ１〜Ｐｚにおいてデータを収集している間に、受信コイル５が受信するＭＲ信号の信号強度Ｉも小さくなる。
【００１９】
第１の実施形態では、短い撮影時間で、高品質な画像を得ることができるという効果がある。このような効果が得られる理由を説明するため、第１の実施形態のデータ収集方法を、従来のデータ収集方法の一例と比較しながら説明する。
【００２０】
図３〜図５は、従来のデータ収集方法の一例であるｋｙ セントリックオーダー（ky Centric order）を説明する図である。
【００２１】
図３は、ｋｙセントリックオーダーを用いて被検体９から収集したデータを、ｋ空間にどのように配置するかを説明する図である。図３の上側には、データ収集期間と、各データ収集期間におけるＭＲ信号の信号強度との関係が示されており、図３の下側には、ｋ空間のｋｙ−ｋｚ面が示されている。以下では、説明の便宜上、１６×１６のマトリックスのｋｙ−ｋｚ面にどのようにデータを配置するかについて説明する。
【００２２】
データ収集期間Ｐ１では、ビュー番号８のｋｚビューと、ビュー番号１〜８のｋｙビューとの交点に位置する格子点にのみ配置されるデータセットＤ１’が収集される。
【００２３】
データ収集期間Ｐ２では、ビュー番号８のｋｚビューと、ビュー番号０〜−７のｋｙビューとの交点に位置する格子点にのみ配置されるデータセットＤ２’が収集される。
【００２４】
図４は、データ収集期間Ｐ１およびＰ２において、ビュー番号８のｋｚビューに配置されるデータをどのような順序で収集しているかを説明する図である。
【００２５】
図４には、ビュー番号８のｋｚビューＶ８が示されている。ｋｚビューＶ８は、データ収集期間Ｐ１に収集されるデータセットＤ１’と、データ収集期間Ｐ２に収集されるデータセットＤ２’が配置される。ｋｚビューＶ８には、１６個の格子点が白丸で示されている。データ収集期間Ｐ１では、格子点（ky，kz）＝（１，８）から格子点（ky，kz）＝（８，８）に向かうトラジェクトリａ１に従って、データが順に収集される。データ収集期間Ｐ２では、格子点（ky，kz）＝（０，８）から格子点（ky，kz）＝（−７，８）に向かうトラジェクトリａ２に従って、データが順に収集される。したがって、２つのデータ収集期間Ｐ１およびＰ２を使って、ｋｚビューＶ８に配置されるデータが収集される。
【００２６】
以下同様に、ビュー番号１〜８のｋｙビューに配置されるデータと、ビュー番号０〜−７のｋｙビューに配置されるデータが、交互に収集される。データ収集期間Ｐ2z-1では、ビュー番号−７のｋｚビューと、ビュー番号１〜８のｋｙビューとの交点に位置する格子点にのみ配置されるデータセットＤ2z-1’が収集される。データ収集期間Ｐ2zでは、ビュー番号−７のｋｚビューと、ビュー番号０〜−７のｋｙビューとの交点に位置する格子点にのみ配置されるデータセットＤ2z’が収集される。
次に、ｋｚビューＶ８に配置されるデータと、信号強度Ｉとの関係を説明する。
【００２７】
図５は、ｋｚビューＶ８に配置されるデータと、信号強度Ｉとの関係を示す図である。
図３に示すように、データ収集期間Ｐ１において、信号強度Ｉは次第に小さくなる。したがって、図５に示すように、最初にデータが配置される格子点（ky，kz）＝（１，８）における信号強度Ｉ(1,8)は一番大きく、格子点（ky，kz）＝（１，８）から（８，８）に向かうにつれて、信号強度Ｉは、曲線Ｃ１に示すように、次第に小さくなる。格子点（ky，kz）＝（８，８）では、信号強度Ｉ(8,8)にまで低下する。格子点（ky，kz）＝（８，８）に配置されるデータが収集された後、格子点（ky，kz）＝（０，８）〜（−７，８）に配置されるデータが収集される。しかし、格子点（ky，kz）＝（０，８）〜（−７，８）に配置されるデータは、データ収集期間Ｐ１に収集されるのではなく、次のデータ収集期間Ｐ２に収集されている。データ収集期間Ｐ１とＰ２との間には、待ちの期間Ｑ１（図３参照）が存在しているので、待ちの期間Ｑ１の間に、スピンの磁化が回復する。したがって、格子点（ky，kz）＝（０，８）における信号強度Ｉ(0,8)は、信号強度Ｉ(1,8)とほぼ同じ値になる。格子点（ky，kz）＝（０，８）に配置されるデータが収集された後、格子点（ky，kz）＝（−７，８）に向かってデータが順に収集される。したがって、信号強度Ｉは、曲線Ｃ２に示すように、次第に小さくなる。
【００２８】
図５を参照すると、信号強度Ｉ(0,8)は、信号強度Ｉ(1,8)とほぼ同じ値になる。したがって、ｋｚビューＶ８において、格子点（ky，kz）＝（−７，８）から、格子点（ky，kz）＝（８，８）に向かって、信号強度を滑らかに変化させることができ、ゴーストなどのアーチファクトを低減することができる。しかし、ｋｙセントリックオーダーでは、信号強度Ｉ(0,8)と、信号強度Ｉ(1,8)とをほぼ同じ値にするために、２つのデータ収集期間Ｐ１およびＰ２が必要となる。ｋｚビューＶ８以外の他のｋｚビューについても、やはり２つのデータ収集期間が必要となる。したがって、ｋｙセントリックオーダーでは、撮影時間が長くなるという問題がある。
【００２９】
そこで、第１の実施形態では、ｋｙセントリックオーダーよりも撮影時間の短縮化を図ることができるように、データを収集している。以下に、図６〜図１０を参照しながら、第１の実施形態におけるデータ収集方法について説明する。
【００３０】
図６は、第１の実施形態におけるｋｙ−ｋｚ面を示す図である。
第１の実施形態では、ｋｙ−ｋｚ面に対して、矩形状の複数の領域Ｒ１〜Ｒ８およびＲ１１〜Ｒ１８を規定する。各領域Ｒ１〜Ｒ８およびＲ１１〜Ｒ１８は、隣接するｋｚビューの格子点を含んでいる。ただし、領域Ｒ１〜Ｒ８は、ビュー番号１〜８のｋｙビューに位置する格子点のみを含んでいる。一方、領域Ｒ１１〜Ｒ１８は、ビュー番号０〜−７のｋｙビューに位置する格子点のみを含んでいる。
【００３１】
図７は、第１の実施形態において、データの収集順序を表すトラジェクトリを示す図である。
領域Ｒ１〜Ｒ８のトラジェクトリＪ１〜Ｊ８は、ビュー番号１のｋｙビュー上に並ぶ格子点から出発し、ｋｙ−ｋｚ面を移動する。一方、領域Ｒ１１〜Ｒ１８のトラジェクトリＪ１１〜Ｊ１８は、ビュー番号０のｋｙビュー（即ち、ｋｚ軸）上に並ぶ格子点から出発し、ｋｙ−ｋｚ面を移動する。
【００３２】
次に、トラジェクトリＪ１〜Ｊ８およびＪ１１〜Ｊ１８に従ってｋｙ−ｋｚ面内にデータを配置する手順について説明する。
【００３３】
図８は、トラジェクトリＪ１〜Ｊ８およびＪ１１〜Ｊ１８に従ってｋｙ−ｋｚ面内にデータを配置するときの説明図である。
図８の上側には、データ収集期間と、各データ収集期間におけるＭＲ信号の信号強度との関係が示されており、図８の下側には、ｋｙ−ｋｚ面の概略が示されている。
【００３４】
先ず、データ収集期間Ｐ１において、トラジェクトリＪ１に従って、領域Ｒ１に配置されるデータセットＤ１が収集される。その後、データ収集期間Ｐ２において、トラジェクトリＪ１１に従って、領域Ｒ１１に配置されるデータセットＤ２が収集される。
【００３５】
図９は、領域Ｒ１およびＲ１１の拡大図である。
データ収集期間Ｐ１では、トラジェクトリＪ１に従って、データが順に収集される。したがって、データ収集期間Ｐ１では、ビュー番号８のｋｚビューＶ８に位置する格子点（１，８）のデータが最初に収集される。格子点（１，８）のデータが収集された後、ビュー番号７のｋｚビューＶ７に位置する格子点（１，７）および（２，７）のデータが順に収集される。格子点（２，７）に配置されるデータを収集した後、ビュー番号８のｋｚビューＶ８に戻り、格子点（２，８）および（３，８）のデータが順に収集される。格子点（３，８）のデータが収集された後、ビュー番号７のｋｚビューＶ７に戻り、格子点（３，７）および（４，７）のデータが順に収集される。
【００３６】
以下、同様の手順で、ｋｚビューＶ８とＶ７とを行ったり来たりしながら、格子点（８，８）に配置されるデータまで順に収集する。したがって、データ収集期間Ｐ１では、ｋｚビューＶ８とＶ７とを行ったり来たりしながら、ｋｙ軸の低周波側のｋｙビュー（ビュー番号１）から、ｋｙ軸の高周波側のｋｙビュー（ビュー番号８）に向かってデータが順に収集される。
【００３７】
データ収集期間Ｐ１においてデータが収集されたら、次に、データ収集期間Ｐ２においてデータが収集される。
【００３８】
データ収集期間Ｐ２では、トラジェクトリＪ１１に従って、データが順に収集される。したがって、データ収集期間Ｐ２では、ビュー番号８のｋｚビューＶ８に位置する格子点（０，８）のデータが最初に収集される。格子点（０，８）のデータが収集された後、ビュー番号７のｋｚビューＶ７に位置する格子点（０，７）および（−１，７）のデータが順に収集される。格子点（−１，７）に配置されるデータを収集した後、ビュー番号８のｋｚビューＶ８に戻り、格子点（−１，８）および（−２，８）のデータが順に収集される。格子点（−２，８）のデータが収集された後、ビュー番号７のｋｚビューＶ７に戻り、格子点（−２，７）および（−３，７）のデータが順に収集される。
【００３９】
以下、同様の手順で、ｋｚビューＶ８とＶ７とを行ったり来たりしながら、格子点（−７，８）に配置されるデータまで順に収集する。したがって、データ収集期間Ｐ２では、ｋｚビューＶ８とＶ７とを行ったり来たりしながら、ｋｙ軸の低周波側のｋｙビュー（ビュー番号０）から、ｋｙ軸の高周波側のｋｙビュー（ビュー番号−７）に向かってデータが順に収集される。
【００４０】
データ収集期間Ｐ１は、Ｒ−Ｒ間隔の間に設けられており、データ収集期間Ｐ２は、次のＲ−Ｒ間隔の間に設けられている。したがって、２心拍の間に、隣接する２つのｋｚビューＶ８およびＶ７に配置されるデータが収集されることが分かる。
【００４１】
領域Ｒ１およびＲ１１のデータを収集した後、以下同様に、図７に示すトラジェクトリに従って、領域Ｒ２、Ｒ１２、・・・に配置されるデータセットが順に収集される。データ収集期間Ｐｙ（図８参照）に到達すると、トラジェクトリＪ８に従って、領域Ｒ８に配置されるデータセットＤｙが収集され、最後のデータ収集期間Ｐｚに到達すると、トラジェクトリＪ１８に従って、領域Ｒ１８に配置されるデータセットＤｚが収集される。したがって、データ収集期間Ｐ２が終了した後も、２心拍ごとに、隣接する２つのｋｚビューに配置されるデータが収集される。例えば、最後の２心拍（データ収集期間ＰｙおよびＰｚ）の間に、隣接する２つのｋｚビュー（ビュー番号−６および−７）に配置されるデータが収集される。したがって、ｋｙ−ｋｚ面に配置される全データを収集することができる。
【００４２】
次に、ｋｚビューＶ８およびＶ７に配置されるデータと、信号強度Ｉとの関係を説明する。
【００４３】
図１０は、ｋｚビューＶ８およびＶ７に配置されるデータと、信号強度Ｉとの関係を概略的に示す図である。
【００４４】
信号強度Ｉのグラフには、２本の曲線Ｃ８（実線）およびＣ７（破線）が示されている。曲線Ｃ８は、ｋｚビューＶ８における信号強度の変化を表しており、曲線Ｃ７は、ｋｚビューＶ７における信号強度の変化を表している。
【００４５】
信号強度Ｉの時間変化曲線ＷＩ（図８参照）に示すように、データ収集期間Ｐ１において、信号強度Ｉは次第に小さくなる。したがって、データ収集期間Ｐ１にデータが配置される領域Ｒ１の格子点（１，８）〜（８，８）は、データの収集順序が早ければ早いほど、信号強度Ｉが大きくなる。データ収集期間Ｐ１で最初に収集されるデータは、格子点（１，８）に配置されるデータであるので、格子点（１，８）における信号強度Ｉ(1,8)が一番大きい。格子点（１，８）に配置されるデータが収集された後、次は、格子点（１，７）に配置されるデータが収集される。したがって、格子点（１，７）における信号強度Ｉ(1,7)は、信号強度Ｉ(1,8)よりもやや小さくなる。以下同様に、データの収集順序が遅くなるに従って、信号強度Ｉは小さくなり、格子点（８，７）では信号強度Ｉ(8,7)になり、格子点（８，８）では一番小さい信号強度Ｉ(8,8)となる。したがって、ｋｚビューＶ８の信号強度曲線Ｃ８は、格子点（１，８）から格子点（８，８）に向かって小さくなり、ｋｚビューＶ７の信号強度曲線Ｃ７は、格子点（１，７）から格子点（８，７）に向かって小さくなる。
【００４６】
領域Ｒ１にデータが配置された後、データ収集期間Ｐ２において、領域Ｒ１１に配置されるデータが収集される。
【００４７】
データ収集期間Ｐ１とデータ収集期間Ｐ２との間には、待ちの期間Ｑ１（図８参照）が設けられているので、待ちの期間Ｑ１の間に、スピンの磁化が回復する。したがって、データ収集期間Ｐ２の間の信号強度Ｉは、データ収集開始時は大きいが、時間の経過とともに次第に小さくなる（図８の信号強度Ｉの時間変化曲線ＷＩ参照）。このため、データ収集期間Ｐ２にデータが配置される領域Ｒ１１の格子点（０，８）〜（−７，８）は、データの収集順序が早ければ早いほど、信号強度Ｉが大きくなる。データ収集期間Ｐ２で最初に収集されるデータは、格子点（０，８）に配置されるデータであるので、格子点（０，８）における信号強度Ｉ(0,8)が一番大きい。格子点（０，８）に配置されるデータが収集された後、次は、格子点（０，７）に配置されるデータが収集される。したがって、格子点（０，７）における信号強度Ｉ(7,0)は、信号強度Ｉ(0,8)よりもやや小さくなる。以下同様に、データの収集順序が遅くなるに従って、信号強度Ｉは小さくなり、格子点（−７，７）では信号強度Ｉ(-7,7)になり、格子点（−７，８）では更に小さい信号強度Ｉ(-7,8)となる。このようにして、領域Ｒ１１にデータが配置される。
【００４８】
以上のようにして、データ収集期間Ｐ１およびＰ２の間に、ｋｚビューＶ８とＶ７とを行ったり来たりしながら、データが順に収集される。
【００４９】
尚、図１０では、隣接するｋｚビューＶ８およびＶ７の信号強度曲線について説明されているが、隣接する他のｋｚビュー（例えば、ビュー番号−６および−７）も同様の信号強度曲線で説明することができる。
【００５０】
第１の実施形態におけるデータ収集方法（図６〜図１０参照）では、２つのデータ収集期間で、隣接する２つのｋｚビューに配置されるデータが収集される（例えば、２つのデータ収集期間Ｐ１およびＰ２で、隣接する２つのｋｚビューＶ８およびＶ７に配置されるデータが収集される）。したがって、２心拍の間に、隣接する２つのｋｚビュー（例えば、ｋｚビューＶ８およびＶ７）にデータを配置することができ、ｋｙセントリックオーダー（図３〜図５参照）に示すデータ収集方法よりも、撮影時間を半分に短縮することが可能となる。
【００５１】
次に、第１の実施形態のデータ収集方法を実現するためのパルスシーケンスの一例について説明する。
【００５２】
図１１は、パルスシーケンスの一例である。
図８に示すように、ｋｙ−ｋｚ面が１６×１６のマトリックスの場合、勾配パルスのエンコードは、１６段階で変化させればよい。１６段階で変化させることによって、ｋｙ−ｋｚ面内の全ての格子点に配置されるデータを収集することができる。
【００５３】
次に、被検体９を撮影するときのＭＲＩ装置１の動作について説明する。
オペレータ１０は、入力装置７を操作して、撮影命令を入力する。撮影命令が入力されると、コイル制御手段６１（図１参照）は、心電信号に同期して、図６〜図１０を参照しながら説明したデータ収集方法を実現するためのパルスシーケンス（例えば、図１１のパルスシーケンス）が実行されるように、勾配コイル２３および送信コイル２４を制御する。受信コイル５は被検体９からのＭＲ信号を受信し、受信したＭＲ信号を信号処理手段６２に伝送する。信号処理手段６２は受信したＭＲ信号に基づいて画像を再構成する。再構成された画像は、表示装置８に表示される。
【００５４】
以上説明したように、第１の実施形態では、信号強度を滑らかに変化させることができるのでゴーストなどのアーチファクトを低減することができる。また、２心拍の間に、隣接する２つのｋｚビューにデータを配置することができ、撮影時間を短縮することもできる。更に、トラジェクトリは隣接する格子点に移動するので、渦電流によるアーチファクトも低減することができる。
【００５５】
尚、データの収集順序は、図９に示す順序に限定されることはなく、別の順序で収集していもよい。以下に、データ収集の変形例について説明する。
【００５６】
図１２は、データ収集順序の変形例の説明図である。
図１２には、ビュー番号８のｋｚビューＶ８と、ビュー番号７のｋｚビューＶ７が示されている。図１２では、領域Ｒ１およびＲ１１においては、それぞれトラジェクトリＪ１′およびＪ１１′に従ってデータが収集される。
【００５７】
領域Ｒ１では、トラジェクトリＪ１′は、格子点（１，８）から出発し、格子点（１，７）に移動する。ここまでは、図９に示す方法と同じである。しかし、図１２では、格子点（１，７）から、格子点（２，７）ではなく、格子点（２，８）に移動する。
【００５８】
トラジェクトリＪ１′は、格子点（２，８）から格子点（２，７）に移動する。以下、同様の手順で、ｋｚビューＶ８とＶ７とを行ったり来たりしながら、格子点（８，７）まで移動する。領域Ｒ１１では、トラジェクトリＪ１１′は、格子点（０，８）から出発し、ｋｚビューＶ８とＶ７とを行ったり来たりしながら、格子点（−７，７）まで移動する。
【００５９】
図１２に示す順序でデータを収集しても、アーチファクトの低減、および撮影時間の短縮を図ることができる。尚、図１２では、トラジェクトリＪ１′およびＪ１１′の出発点は、それぞれ格子点（１，８）および（０，８）である。しかし、トラジェクトリＪ１′およびＪ１１′の出発点を、それぞれ格子点（１，７）および（０，７）にしてもよい（図１３参照）。
【００６０】
図１３は、トラジェクトリＪ１′およびＪ１１′の出発点を、それぞれ格子点（１，７）および（０，７）にした場合の例である。
図１３では、トラジェクトリＪ１′は、格子点（１，７）から（１，８）に移動して（２，７）に移動する。以下、同様の手順で、ｋｚビューＶ８とＶ７とを行ったり来たりしながら、格子点（８，８）に移動することにより、領域Ｒ１のデータが収集される。一方、トラジェクトリＪ１１′は、格子点（０，７）から出発し、（−７，８）まで移動する。図１３に示すトラジェクトリに従ってデータを収集してもよい。
【００６１】
尚、第１の実施形態では、ｋｚビューＶ８およびＶ７の格子点に配置されるデータを最初に収集しているが、別のビュー番号のｋｚビュー（例えば、ビュー番号０および１のｋｚビュー）の格子点に配置されるデータを最初に収集してもよい。
【００６２】
また、第１の実施形態では、各トラジェクトリは、隣接する２つのｋｚビューの格子点を移動するように規定されている。しかし、各トラジェクトリは、隣接する３つ以上のｋｚビューを移動するように規定してもよい（図１４参照）。
図１４は、トラジェクトリが、隣接する３つのｋｚビューを移動するように規定された場合の一例を示す概略図である。
【００６３】
図１４は、トラジェクトリＪ１’’は、ビュー番号８のｋｚビューＶ８に位置する格子点（１，８）から出発して、ビュー番号７のｋｚビューＶ７に位置する格子点（１，７）、ビュー番号６のｋｚビューＶ６（１，６）に移動する。その後、格子点（２，６）、（２，７）、（２，８）に移動し、ビュー番号８のｋｚビューＶ８に再び戻る。以下、同様に、ｋｚビューＶ８、Ｖ７、およびＶ６を行ったり来たりしながら、格子点（８，８）に配置されるデータまで順に収集する。
【００６４】
トラジェクトリＪ１１’’は、ビュー番号８のｋｚビューＶ８に位置する格子点（０，８）から出発して、ｋｚビューＶ８、Ｖ７、およびＶ６を行ったり来たりしながら、格子点（−７，８）に配置されるデータまで順に収集する。
【００６５】
図１４に示すように、トラジェクトリが移動するｋｚビューの数は、２つに限定されることはなく、３つであってもよい。尚、必要に応じて、トラジェクトリが移動するｋｚビューの数を、４つ以上としてもよい。
【００６６】
（２）第２の実施形態
第１の実施形態では、ｋｙ−ｋｚ面内の全ての格子点にデータを配置する例について説明したが、本発明は、フラクショナルエコーなど、一部の格子点にのみデータを配置する方法にも適用することができる。第２の実施形態では、一部の格子点にのみデータを配置する方法の一例について説明する。尚、ＭＲＩ装置のハードウェア構成は、第１の実施形態と同じである。
【００６７】
図１５は、第２の実施形態におけるｋｙ−ｋｚ面を示す図である。
第２の実施形態では、ｋｙ−ｋｚ面は、データが配置されないデータ非配置領域Ｒnon（斜線で示される領域）と、データが配置されるデータ配置領域Ｒｄとを有している。以下に、データ配置領域Ｒｄのデータを収集するときのトラジェクトリについて説明する（図１６参照）。
【００６８】
図１６は、データ配置領域Ｒｄのデータを収集するときのトラジェクトリを示す図である。
データ配置領域Ｒｄのデータは、トラジェクトリＪ１〜Ｊ８およびＪ１１〜１８に従って収集される。トラジェクトリＪ１〜Ｊ８は、矩形状の複数の領域Ｒ１〜Ｒ８を移動するトラジェクトリであり、トラジェクトリＪ１１〜Ｊ１８は、矩形状の複数の領域Ｒ１１〜Ｒ１８およびＲ２１〜Ｒ２８を移動するトラジェクトリである。
【００６９】
トラジェクトリＪ１〜Ｊ８は、ビュー番号１のｋｙビュー上に並ぶ格子点から出発し、ビュー番号６のｋｙビューまで移動する。一方、トラジェクトリＪ１１〜Ｊ１８は、ビュー番号０のｋｙビュー（即ち、ｋｚ軸）上に並ぶ格子点から出発し、ビュー番号−３のｋｙビューまで移動した後、ビュー番号８および７のｋｙビューに移動する。
次に、トラジェクトリＪ１〜Ｊ８およびＪ１１〜Ｊ１８に従ってｋｙ−ｋｚ面内にデータを配置する手順について説明する。
【００７０】
図１７は、トラジェクトリＪ１〜Ｊ８およびＪ１１〜Ｊ１８に従ってｋｙ−ｋｚ面内にデータを配置するときの説明図である。
図１７の上側には、データ収集期間Ｐ１〜Ｐｚと、各データ収集期間におけるＭＲ信号の信号強度との関係が示されており、図１７の下側には、ｋｙ−ｋｚ面の概略が示されている。
【００７１】
先ず、データ収集期間Ｐ１において、トラジェクトリＪ１に従って、領域Ｒ１に配置されるデータセットＤ１が収集される。
【００７２】
データ収集期間Ｐ２では、トラジェクトリＪ１１に従って、領域Ｒ１１およびＲ２１に配置されるデータセットＤ２が収集される。データセットＤ２は、２つのデータ群Ｄ２１およびＤ２２を有している。データ群Ｄ２１は、領域Ｒ１１に配置されるデータの集合であり、データ群Ｄ２２は、領域Ｒ２１に配置されるデータの集合である。
【００７３】
図１８は、領域Ｒ１、Ｒ１１、およびＲ２１の拡大図である。
データ収集期間Ｐ１では、トラジェクトリＪ１に従って、データが順に収集される。したがって、データ収集期間Ｐ１では、ビュー番号８のｋｚビューＶ８に位置する格子点（１，８）のデータが最初に収集される。格子点（１，８）のデータが収集された後、ビュー番号７のｋｚビューＶ７に位置する格子点（１，７）および（２，７）のデータが順に収集される。格子点（２，７）に配置されるデータを収集した後、ビュー番号８のｋｚビューＶ８に戻り、格子点（２，８）および（３，８）のデータが順に収集される。格子点（３，８）のデータが収集された後、ビュー番号７のｋｚビューＶ７に戻り、格子点（３，７）および（４，７）のデータが順に収集される。
【００７４】
以下、同様の手順で、ｋｚビューＶ８とＶ７とを行ったり来たりしながら、格子点（６，８）に配置されるデータまで順に収集する。したがって、データ収集期間Ｐ１では、ｋｚビューＶ８とＶ７とを行ったり来たりしながら、ｋｙ軸の低周波側のｋｙビュー（ビュー番号１）から、ｋｙ軸の高周波側のｋｙビュー（ビュー番号６）に向かってデータが順に収集される。
【００７５】
データ収集期間Ｐ１においてデータが収集されたら、次に、データ収集期間Ｐ２においてデータが収集される。
【００７６】
データ収集期間Ｐ２では、トラジェクトリＪ１１に従って、データが順に収集される。したがって、データ収集期間Ｐ２では、ビュー番号８のｋｚビューＶ８に位置する格子点（０，８）のデータが最初に収集される。格子点（０，８）のデータが収集された後、ビュー番号７のｋｚビューＶ７に位置する格子点（０，７）および（−１，７）のデータが順に収集される。格子点（−１，７）に配置されるデータを収集した後、ビュー番号８のｋｚビューＶ８に戻り、格子点（−１，８）および（−２，８）のデータが順に収集される。格子点（−２，８）のデータが収集された後、ビュー番号７のｋｚビューＶ７に戻り、格子点（−２，７）および（−３，７）のデータが順に収集される。
【００７７】
格子点（−３，７）に配置されるデータを収集した後、ｋｚビューＶ８に戻り、格子点（−３，８）に配置されるデータを収集する。格子点（−３，８）に配置されるデータが収集されることによって、領域Ｒ１１の全ての格子点にデータが配置される。ただし、データ収集期間Ｐ２では、領域Ｒ１１だけでなく、領域Ｒ２１の格子点に配置されるデータも収集される。格子点（−３，８）に配置されるデータが収集された後、領域Ｒ２１の格子点（８，８）に配置されるデータが収集され、その後、格子点（８，７）、（７，７）、および（７，８）の順にデータが収集される。
【００７８】
以上のようにして、データ収集期間Ｐ１およびＰ２の間に、ｋｚビューＶ８とＶ７とを行ったり来たりしながら、データが順に収集される。したがって、２心拍の間に、隣接する２つのｋｚビュー（ビュー番号８および７）の領域Ｒ１、Ｒ１１、およびＲ２１に配置されるデータが収集されることが分かる。
【００７９】
領域Ｒ１、Ｒ１１、およびＲ２１に配置されるデータを収集した後、以下同様に、２心拍ごとに、図１６に示すトラジェクトリに従って、データが収集される。データ収集期間Ｐｙ（図１７参照）に到達すると、トラジェクトリＪ８に従って、領域Ｒ８に配置されるデータセットＤｙが収集され、最後のデータ収集期間Ｐｚに到達すると、トラジェクトリＪ１８に従って、領域Ｒ１８およびＲ２８に配置されるデータセットＤｚが収集される。したがって、ｋｙ−ｋｚ面に配置されるデータを収集することができる。
次に、ｋｚビューＶ８およびＶ７に配置されるデータと、信号強度Ｉとの関係について、図１９を参照しながら説明する。
【００８０】
図１９は、ｋｚビューＶ８およびＶ７に配置されるデータと、信号強度Ｉとの関係を示す図である。
信号強度Ｉのグラフには、２本の曲線Ｃ８（実線）およびＣ７（破線）が示されている。曲線Ｃ８は、ｋｚビューＶ８における信号強度の変化を表しており、曲線Ｃ７は、ｋｚビューＶ７における信号強度の変化を表している。
【００８１】
信号強度Ｉの時間変化曲線ＷＩ（図１７参照）に示すように、データ収集期間Ｐ１において、信号強度Ｉは次第に小さくなる。したがって、データ収集期間Ｐ１にデータが配置される領域Ｒ１の格子点（１，８）〜（６，８）は、データの収集順序が早ければ早いほど、信号強度Ｉが大きくなる。データ収集期間Ｐ１で最初に収集されるデータは、格子点（１，８）に配置されるデータであるので、格子点（１，８）における信号強度Ｉ(1,8)が一番大きい。格子点（１，８）に配置されるデータが収集された後、次は、格子点（１，７）に配置されるデータが収集される。したがって、格子点（１，７）における信号強度Ｉ(1,7)は、信号強度Ｉ(1,8)よりもやや小さくなる。以下同様に、データの収集順序が遅くなるに従って、信号強度Ｉは小さくなり、格子点（６，７）では信号強度Ｉ(6,7)になり、格子点（６，８）では一番小さい信号強度Ｉ(6,8)となる。したがって、ｋｚビューＶ８の信号強度曲線Ｃ８は、格子点（１，８）から格子点（６，８）に向かって小さくなり、ｋｚビューＶ７の信号強度曲線Ｃ７は、格子点（１，７）から格子点（６，７）に向かって小さくなる。
【００８２】
領域Ｒ１にデータが配置された後、データ収集期間Ｐ２において、領域Ｒ１１およびＲ２１に配置されるデータが収集される。
【００８３】
データ収集期間Ｐ１とデータ収集期間Ｐ２との間には、待ちの期間Ｑ１（図１７参照）が設けられているので、待ちの期間Ｑ１の間に、スピンの磁化が回復する。したがって、データ収集期間Ｐ２の間の信号強度Ｉは、データ収集開始時は大きいが、時間の経過とともに次第に小さくなる（図１７の信号強度Ｉの時間変化曲線ＷＩ参照）。このため、データ収集期間Ｐ２にデータが配置される格子点（０，８）〜（−３，８）は、データの収集順序が早ければ早いほど、信号強度Ｉが大きくなる。データ収集期間Ｐ２で最初に収集されるデータは、格子点（０，８）に配置されるデータであるので、格子点（０，８）における信号強度Ｉ(0,8)が一番大きい。格子点（０，８）に配置されるデータが収集された後、次は、格子点（０，７）に配置されるデータが収集される。したがって、格子点（０，７）における信号強度Ｉ(7,0)は、信号強度Ｉ(0,8)よりもやや小さくなる。以下同様に、データの収集順序が遅くなるに従って、信号強度Ｉは小さくなり、格子点（−３，７）では信号強度Ｉ(-3,7)になり、格子点（−３，８）では更に小さい信号強度Ｉ(-3,8)となる。このようにして、領域Ｒ１１にデータが配置される。ただし、データ収集期間Ｐ２では、領域Ｒ１１だけでなく、領域Ｒ２１の格子点に配置されるデータも収集されるので、格子点（−３，８）に配置されるデータが収集された後、領域Ｒ２１の格子点（８，８）に配置されるデータが収集される。格子点（８，８）における信号強度Ｉ(8,8)は、格子点（−３，８）における信号強度Ｉ(-3,8)よりも、やや小さくなる。格子点（８，８）に配置されるデータが収集された後、格子点（８，７）、（７，７）、および（７，８）の順にデータが収集される。したがって、信号強度Ｉ(8,7)、Ｉ(7,7)、およびＩ(7,8)の順で小さくなる。
【００８４】
以上のようにして、データ収集期間Ｐ１およびＰ２の間に、ｋｚビューＶ８とＶ７とを行ったり来たりしながら、データが順に収集される。
【００８５】
尚、図１９では、隣接するｋｚビューＶ８およびＶ７について説明されているが、隣接する他のｋｚビュー（例えば、ビュー番号−６および−７）も同様の信号強度曲線で説明することができる。
【００８６】
第２の実施形態においても、信号強度を滑らかに変化させることができるのでゴーストなどのアーチファクトを低減することができる。また、２心拍の間に、隣接する２つのｋｚビューにデータを配置することができ、撮影時間を短縮することもできる。
【００８７】
（３）第３の実施形態
以下、第３の実施形態について説明する。尚、ＭＲＩ装置１のハードウェア構成は、第１の実施形態と同じである。
【００８８】
図２０は、第３の実施形態におけるｋｙ−ｋｚ面を示す図である。
図２０では、ｋｙ−ｋｚ面が長方形（又は正方形）ＳＱで示されている。長方形（又は正方形）ＳＱの内部には、長方形（又は正方形）ＳＱに内接する楕円（又は円）ＣＩが示されている。長方形（又は正方形）ＳＱと楕円（又は円）ＣＩとに挟まれた４つの領域Ｒnonは、ｋｙ軸とｋｚ軸との両方の軸に関して高周波成分の領域である。第３の実施形態では、これらの４つの領域Ｒnonが、データが配置されないデータ非配置領域として規定されており、楕円（又は円）ＣＩで囲まれている領域が、データが配置されるデータ配置領域として規定されている。楕円（又は円）ＣＩは、複数の領域Ｒ１１〜Ｒ４ｚに分割されている。次に、これらの領域Ｒ１１〜Ｒ４ｚをどのように規定するかについて説明する。
【００８９】
先ず、楕円（又は円）ＣＩに内接する複数の楕円Ｅ１〜Ｅｚを規定する。楕円Ｅ１〜Ｅｚは、ｋｙ軸方向の長さ（長軸の長さ）は同じであるが、ｋｚ軸方向の長さ（短軸の長さ）は異なるように規定されている。楕円（又は円）ＣＩ、楕円Ｅ１〜Ｅｚ、ｋｙ軸、およびｋｚ軸によって、楕円（又は円）ＣＩの第１象限は、ｚ個の領域Ｒ１１〜Ｒ１ｚに分割される。同様に、楕円（又は円）ＣＩの第２象限、第３象限、および第４象限は、それぞれ、ｚ個の領域Ｒ２１〜Ｒ２ｚ、ｚ個の領域Ｒ３１〜Ｒ３ｚ、およびｚ個の領域Ｒ４１〜Ｒ４ｚに分割される。
【００９０】
第１象限を参照すると、領域Ｒ１１は、楕円（又は円）ＣＩ、楕円Ｅ１、およびｋｚ軸によって囲まれた領域として規定されている。領域Ｒ１２は、楕円Ｅ１、楕円Ｅ２、およびｋｚ軸で囲まれた領域として規定されている。以下同様に、他の領域も規定され、領域Ｒ１ｚは、楕円Ｅｚ、ｋｙ軸、およびｋｚ軸に囲まれた領域として規定されている。
尚、楕円（又は円）ＣＩの第２象限、第３象限、および第４象限における領域も、同様の方法で規定される。
【００９１】
図２１は、第３の実施形態において、データの収集順序を表すトラジェクトリを示す図である。
第１象限の領域Ｒ１１〜Ｒ１ｚのトラジェクトリＪ１１〜Ｊ１ｚ、および第４象限の領域Ｒ４１〜Ｒ４ｚのトラジェクトリＪ４１〜Ｊ４ｚは、ビュー番号１のｋｙビュー上に並ぶ格子点から出発し、ｋｙ−ｋｚ面を移動する。一方、第２象限の領域Ｒ２１〜Ｒ２ｚのトラジェクトリＪ２１〜Ｊ２ｚ、および第３象限の領域Ｒ３１〜Ｒ３ｚのトラジェクトリＪ３１〜Ｊ３ｚは、ビュー番号０のｋｙビュー（ｋｚ軸）上に並ぶ格子点から出発し、ｋｙ−ｋｚ面を移動する。
次に、第３の実施形態におけるデータの収集方法について説明する（図２２参照）。
【００９２】
図２２は、第３の実施形態におけるデータ収集方法の説明図である。
図２２の上側には、データ収集期間Ｐ１〜Ｐｚと、各データ収集期間におけるＭＲ信号の信号強度との関係が示されており、図２２の下側には、ｋｙ−ｋｚ面の概略が示されている。
【００９３】
データ収集期間Ｐ１では、トラジェクトリＪ１１に従って、楕円（又は円）ＣＩの第１象限内の領域Ｒ１１に配置されるデータセットＤ１が収集される。その後、データ収集期間Ｐ２では、トラジェクトリＪ２１に従って、楕円（又は円）ＣＩの第２象限内の領域Ｒ２１に配置されるデータセットＤ２が収集される。
【００９４】
図２３は、領域Ｒ１１およびＲ２１の拡大図である。
領域Ｒ１１は、ビュー番号１〜ｎ−１のｋｚビューに位置する格子点Ｌ１１〜Ｌ１ｚを有している。複数の格子点Ｌ１１〜Ｌ１ｚは黒丸で示されている。データ収集期間Ｐ１では、トラジェクトリＪ１１に従って、データが順に収集される。したがって、領域Ｒ１１では、最初に、格子点Ｌ１１（ビュー番号ｎ−１のｋｚビューと、ビュー番号１のｋｙビューとの交点に位置する）のデータが収集され、次に、格子点Ｌ１２（ビュー番号ｎ−２のｋｚビューと、ビュー番号１のｋｙビューとの交点に位置する）のデータが収集される。格子点Ｌ１２のデータを収集したら、格子点Ｌ１３およびＬ１４（ビュー番号ｎ−２およびｎ−１のｋｚビューと、ビュー番号２のｋｙビューとの交点に位置する）のデータを順に収集する。格子点Ｌ１４のデータを収集したら、格子点Ｌ１５およびＬ１６（ビュー番号ｎ−１およびｎ−２のｋｚビューと、ビュー番号３のｋｙビューとの交点に位置する）のデータを順に収集する。格子点Ｌ１６のデータを収集したら、格子点Ｌ１７、Ｌ１８、およびＬ１９（ビュー番号ｎ−１、ｎ−２およびｎ−３のｋｚビューと、ビュー番号４のｋｙビューとの交点に位置する）のデータを順に収集する。以下同様に、ｋｙビューを高周波側にずらしながら、領域Ｒ１１の格子点Ｌ１ｚに向かってデータを収集する。格子点Ｌ１ｚに配置されるデータが収集されることによって、領域Ｒ１１に含まれる全ての格子点に配置されるデータが収集される。
次に、領域Ｒ２１に配置されるデータが収集される。
【００９５】
領域Ｒ２１では、最初に、格子点Ｌ２１（ビュー番号ｎのｋｚビューと、ビュー番号０のｋｙビューとの交点に位置する）のデータが収集され、次に、格子点Ｌ２２（ビュー番号ｎ−１のｋｚビューと、ビュー番号０のｋｙビューとの交点に位置する）のデータが収集される。格子点Ｌ２２のデータを収集したら、格子点Ｌ２３およびＬ２４（ビュー番号ｎ−１およびｎ−２のｋｚビューと、ビュー番号−１のｋｙビューとの交点に位置する）のデータを順に収集する。格子点Ｌ２４のデータを収集したら、格子点Ｌ２５およびＬ２６（ビュー番号ｎ−２およびｎ−１のｋｚビューと、ビュー番号−２のｋｙビューとの交点に位置する）のデータを順に収集する。以下同様に、ｋｙビューを高周波側にずらしながら、領域Ｒ２１の格子点Ｌ２ｚに向かってデータを収集する。格子点Ｌ２ｚに配置されるデータが収集されることによって、領域Ｒ２１に含まれる全ての格子点に配置されるデータが収集される。
【００９６】
領域Ｒ１１およびＲ２１のデータを収集したら、以下同様に、図２１に示すトラジェクトリに従って、楕円（又は円）ＣＩの第１象限の領域Ｒ１２〜Ｒ１ｚに配置されるデータと、第２象限の領域Ｒ２２〜Ｒ２ｚに配置されるデータとを交互に収集する。楕円（又は円）ＣＩの第１象限と第２象限におけるデータを収集したら、今度は、楕円（又は円）ＣＩの第４象限の領域Ｒ４ｚ〜Ｒ４１に配置されるデータと、第３象限の領域Ｒ３ｚ〜Ｒ３１に配置されるデータとを交互に収集する。
【００９７】
第３の実施形態においても、信号強度を滑らかに変化させることができるのでゴーストなどのアーチファクトを低減することができる。また、２心拍の間に、隣接する２つのｋｚビューにデータを配置することができ、撮影時間を短縮することもできる。更に、トラジェクトリは隣接する格子点に移動するので、渦電流によるアーチファクトも低減することができる。
【００９８】
（４）第４の実施形態
第１〜第３の実施形態では、トラジェクトリは、ビュー番号０のｋｙビュー（ｋｚ軸）又はビュー番号１のｋｙビューに位置する格子点から出発しているが、トラジェクトリは、別のビュー番号のｋｙビューから出発してもよい。第４の実施形態では、トラジェクトリが、第１〜第３の実施形態とは異なるビュー番号のｋｙビューから出発する例について説明する。尚、ＭＲＩ装置のハードウェア構成は、第１の実施形態と同じである。
【００９９】
図２４は、第４の実施形態におけるトラジェクトリを示す図である。
トラジェクトリＪは、ビュー番号γ（γ＜０）のｋｙビューから出発して、ｋｚ軸を横切り、ビュー番号δ（δ＞０）のｋｙビューまで移動しており、一方、トラジェクトリＷは、ビュー番号γ−１のｋｙビューから出発して、ビュー番号δ＋１のｋｙビューまで移動している。信号強度がトラジェクトリの途中位置で最大になる場合は、図２４に示すように、トラジェクトリの出発位置を、ｋｚ軸からずらすことによって、ｋｚ軸又はその近傍において、信号強度を最大にすることができ、高品質な画像を得ることができる。
【０１００】
尚、上記の第１〜第４の実施形態では、心拍に同期させてパルスシーケンスを実行しているが、心拍に同期させる代わりに、呼吸を検出し、呼吸に同期させて実行してもよく、また、心拍と呼吸との両方に同期させて実行してもよい。更に、心拍や呼吸に同期させずにパルスシーケンスを実行してもよい。
【０１０１】
（５）第５の実施形態
第１〜第４の実施形態では、トラジェクトリの出発点は、ｋｚ方向に直線状に並んでいる。しかし、トラジェクトリの出発点は、曲線状に並んでいてもよい。第５の実施形態では、トラジェクトリの出発点が、曲線状に並んでいる例について説明する。尚、ＭＲＩ装置のハードウェア構成は、第１の実施形態と同じである。
【０１０２】
図２５は、第５の実施形態におけるトラジェクトリを示す図である。
トラジェクトリＪは、曲線ＳＣ１上に位置する格子点から出発して、ｋｙ−ｋｚ面内を移動しており、一方、トラジェクトリＷは、曲線ＳＣ２上に位置する格子点から出発して、ｋｙ−ｋｚ面内を移動している。このように、トラジェクトリの出発点は、曲線状に並んでいてもよい。
【符号の説明】
【０１０３】
１  ＭＲＩ装置
２  コイルアセンブリ
３  テーブル
４  心拍センサ
５  受信コイル
６  制御装置
７  入力装置
８  表示装置
９  被検体
２１  ボア
２２  超伝導コイル
２３  勾配コイル
２４  送信コイル
３１  クレードル
６１  コイル制御手段
６２  信号処理手段
【図１】
2010194305.tif 000003
【図２】
2010194305.tif 000004
【図３】
2010194305.tif 000005
【図４】
2010194305.tif 000006
【図５】
2010194305.tif 000007
【図６】
2010194305.tif 000008
【図７】
2010194305.tif 000009
【図８】
2010194305.tif 000010
【図９】
2010194305.tif 000011
【図１０】
2010194305.tif 000012
【図１１】
2010194305.tif 000013
【図１２】
2010194305.tif 000014
【図１３】
2010194305.tif 000015
【図１４】
2010194305.tif 000016
【図１５】
2010194305.tif 000017
【図１６】
2010194305.tif 000018
【図１７】
2010194305.tif 000019
【図１８】
2010194305.tif 000020
【図１９】
2010194305.tif 000021
【図２０】
2010194305.tif 000022
【図２１】
2010194305.tif 000023
【図２２】
2010194305.tif 000024
【図２３】
2010194305.tif 000025
【図２４】
2010194305.tif 000026
【図２５】
2010194305.tif 000027